(57)【要約】【課題】ダイナミックダンパを軸部材に装着したままで、その質量や弾性体のばね定数を簡単に調整できるようにすることである。【解決手段】ダイナミックダンパの本体１を、軸部材１１に外嵌される筒状の弾性体で形成して、この筒状の弾性体に軸方向へ貫通する複数の丸孔２ａ、２ｂ、２ｃを円周方向へ３重に配列して設け、最外周の全ての丸孔２ａに質量を調整する調整部材３ａを、最内周の全ての丸孔２ｃにばね定数を調整する調整部材３ｂを締め代を持たせて挿入することにより、ダイナミックダンパを軸部材１１に装着したままで、各調整部材３ａ、３ｂを本体１の丸孔２ａ、２ｂ、２ｃに挿入するのみで、その締め代によって各調整部材３ａ、３ｂを本体１に保持し、ダイナミックダンパの質量や弾性体のばね定数を簡単に調整できるようにした。【選択図】図１
2007232171.tif 000002
【特許請求の範囲】
【請求項１】
所定の質量と弾性体のばね定数を有し、回転する軸部材に装着されて、この軸部材の振動を抑制するダイナミックダンパにおいて、前記ダイナミックダンパの本体を、前記軸部材に外嵌される筒状の弾性体で形成して、この筒状の弾性体に軸方向へ延びる複数の孔を設け、これらの孔の少なくとも１つに、前記質量または弾性体のばね定数を調整する調整部材を、締め代を持たせて挿入するようにしたことを特徴とするダイナミックダンパ。
【請求項２】
前記本体の孔を丸孔とし、前記調整部材を円筒状のものとした請求項１に記載のダイナミックダンパ。
【請求項３】
前記本体に筒状の芯金を埋め込んだ請求項１または２に記載のダイナミックダンパ。
【発明の詳細な説明】
【技術分野】
【０００１】
本発明は、自動車のドライブシャフトやプロペラシャフト等の回転する軸部材に装着されて、軸部材の撓み振動や捩じり振動を抑制するダイナミックダンパに関する。
【背景技術】
【０００２】
自動車のドライブシャフトやプロペラシャフト等の回転する軸部材には、その撓み振動や捩じり振動を抑制するために、筒状のダイナミックダンパが装着されることがある。通常、筒状のダイナミックダンパは、軸部材を自動車の車体から取り外した状態で、その一端側から差し込んで装着されている。このダイナミックダンパは所定の質量と弾性体のばね定数を有し、その固有振動数を軸部材の固有振動数と逆位相で合致させて、軸部材の振動エネルギを吸収するものであり、その質量と弾性体のばね定数は軸部材への装着前に予め設定されている。
【０００３】
この種のダイナミックダンパには、ドライブシャフトやプロペラシャフト等の軸部材を自動車の車体から取り外すことなく、これらの軸部材に装着できるように、筒状のマス部材と、これを被覆する筒状のゴム弾性体とからなるダイナミックダンパを円周方向で複数に分割し、軸部材の軸心に対して側方から組み付けるようにしたものがある（例えば、特許文献１参照）。
【０００４】
【特許文献１】特開２００５−２４０３７号公報
【発明の開示】
【発明が解決しようとする課題】
【０００５】
上述した従来のダイナミックダンパは、質量と弾性体のばね定数が予め設定されているので、軸部材への装着後や使用中に、これらの質量や弾性体のばね定数が所定の値からずれても、これらを調整することができず、軸部材を車体等から取り外し、さらに、ダイナミックダンパを軸部材から取り外して、ダイナミックダンパを加工するか、別のものと交換する必要があり、非常に手間がかかる問題がある。特許文献１に記載されたものは、軸部材を車体等から取り外す必要はないが、やはり、ダイナミックダンパを軸部材から取り外して加工するか、別のものと交換する必要があるので、手間がかかる。
【０００６】
そこで、本発明の課題は、ダイナミックダンパを軸部材に装着したままで、その質量や弾性体のばね定数を簡単に調整できるようにすることである。
【課題を解決するための手段】
【０００７】
上記の課題を解決するために、本発明は、所定の質量と弾性体のばね定数を有し、回転する軸部材に装着されて、この軸部材の振動を抑制するダイナミックダンパにおいて、前記ダイナミックダンパの本体を、前記軸部材に外嵌される筒状の弾性体で形成して、この筒状の弾性体に軸方向へ延びる複数の孔を設け、これらの孔の少なくとも１つに、前記質量または弾性体のばね定数を調整する調整部材を締め代を持たせて挿入する構成を採用した。
【０００８】
すなわち、ダイナミックダンパの本体を、軸部材に外嵌される筒状の弾性体で形成して、この筒状の弾性体に軸方向へ延びる複数の孔を設け、これらの孔の少なくとも１つに、質量または弾性体のばね定数を調整する調整部材を、締め代を持たせて挿入することにより、ダイナミックダンパを軸部材に装着したままで、調整部材を弾性体で形成した本体の孔に挿入するのみで、その締め代によって調整部材を本体に保持し、ダイナミックダンパの質量や弾性体のばね定数を簡単に調整できるようにした。
【０００９】
前記質量を調整する調整部材としては、比重の大きい金属で形成したものを用いるとよい。また、弾性体のばね定数を調整する調整部材としては、質量をあまり変化させずに、孔の閉塞によって本体の弾性体のばね定数を変えることができるように、樹脂やゴムで形成したものを用いるとよい。
【００１０】
前記本体の孔を丸孔とし、前記調整部材を円筒状のものとすることにより、調整部材を挿入する孔を選択可能とし、調整の自由度を高めることができる。
【００１１】
前記本体に筒状の芯金を埋め込むことにより、芯金の質量によって、質量の調整代を少なくすることができる。
【発明の効果】
【００１２】
本発明のダイナミックダンパは、ダイナミックダンパの本体を、軸部材に外嵌される筒状の弾性体で形成して、この筒状の弾性体に軸方向へ延びる複数の孔を設け、これらの孔の少なくとも１つに、質量または弾性体のばね定数を調整する調整部材を、締め代を持たせて挿入するようにしたので、ダイナミックダンパを軸部材に装着したままで、調整部材を弾性体で形成した本体の孔に挿入するのみで、その締め代によって調整部材を本体に保持し、ダイナミックダンパの質量や弾性体のばね定数を簡単に調整することができる。
【００１３】
前記本体の孔を丸孔とし、調整部材を円筒状のものとすることにより、調整部材を挿入する孔を選択可能とし、調整の自由度を高めることができる。
【００１４】
前記本体に筒状の芯金を埋め込むことにより、芯金の質量によって、質量の調整代を少なくすることができる。
【発明を実施するための最良の形態】
【００１５】
以下、図面に基づき、本発明の実施形態を説明する。図１および図２は、第１の実施形態を示す。このダイナミックダンパは、図１（ａ）、（ｂ）に示すように、回転する軸部材１１に筒状の弾性体で形成された本体１が外嵌されて装着され、この本体１に軸方向へ貫通する複数の丸孔２ａ、２ｂ、２ｃが円周方向へ３重に配列されており、図１（ｃ）に示すように、最外周の全ての丸孔２ａに、質量を調整する鋼で形成された円筒状の調整部材３ａが締め代を持たせて挿入され、最内周の全ての丸孔２ｃに、弾性体のばね定数を調整する樹脂で形成された円筒状の調整部材３ｂが締め代を持たせて挿入されている。なお、中間周の丸孔２ｂは、孔の密度を高めるために、大径のものと小径のものが交互に配列されている。
【００１６】
図２（ａ）、（ｂ）は、前記質量調整用とばね定数調整用の各調整部材３ａ、３ｂの挿入形態の変形例を示す。図２（ａ）の変形例は、質量調整用の調整部材３ａを最外周の丸孔２ａに１つおきに挿入するとともに、ばね定数調整用の調整部材３ｂを最内周の全ての丸孔２ｃと中間周の１つおきの丸孔２ｂに挿入したもの、図２（ｂ）の変形例は、質量調整用の調整部材３ａを最内周と中間周の全ての丸孔２ａ、２ｂに挿入し、ばね定数調整用の調整部材３ｂは挿入していないものである。
【００１７】
図３および図４は、第２の実施形態を示す。このダイナミックダンパは、図３（ａ）、（ｂ）に示すように、前記軸部材１１に外嵌されて装着された筒状の弾性体の本体１に、外周側に近い部分で筒状の芯金４ａが埋め込まれ、その内周側に軸方向へ貫通する複数の丸孔２ｄ、２ｅが、円周方向へ千鳥状に２重に配列されており、図３（ｃ）に示すように、外周側の全ての丸孔２ｄに質量調整用の調整部材３ａが締め代を持たせて挿入され、ばね定数調整用の調整部材３ｂは挿入されていない。
【００１８】
図４（ａ）、（ｂ）は、前記各調整部材３ａ、３ｂの挿入形態の変形例を示す。図４（ａ）の変形例は、ばね定数調整用の調整部材３ｂを内周側の全ての丸孔２ｅに挿入し、質量調整用の調整部材３ａは挿入していないもの、図４（ｂ）の変形例は、外周側の１つおきの丸孔２ｄに質量調整用の調整部材３ａを挿入し、内周側の１つおきの丸孔２ｅにばね定数調整用の調整部材３ｂを挿入したものである。
【００１９】
図５および図６は、第３の実施形態を示す。このダイナミックダンパは、図５（ａ）、（ｂ）に示すように、第２の実施形態と同様の筒状の芯金４ｂを、筒状の弾性体の本体１の中間部分に埋め込み、その外周側と内周側とに、それぞれ軸方向へ貫通する複数の丸孔２ｆ、２ｇを円周方向へ配列し、図５（ｃ）に示すように、外周側の１つおきの丸孔２ｆに質量調整用の調整部材３ａのみを挿入したものである。
【００２０】
図６（ａ）、（ｂ）は、前記各調整部材３ａ、３ｂの挿入形態の変形例を示す。図６（ａ）の変形例は、ばね定数調整用の調整部材３ｂのみを内周側の全ての丸孔２ｇに挿入したもの、図６（ｂ）の変形例は、外周側のすべての丸孔２ｆに質量調整用の調整部材３ａを挿入し、内周側の１つおきの丸孔２ｇにばね定数調整用の調整部材３ｂを挿入したものである。
【００２１】
図７は、第４の実施形態を示す。このダイナミックダンパは、図７（ａ）、（ｂ）に示すように、前記軸部材１１に外嵌されて装着された筒状の弾性体の本体１に、両側の軸端面から対向するように軸方向へ延びる複数の有底の丸孔２ｈ、２ｉを円周方向へ２重に配列し、図７（ｃ）に示すように、外周側の１つおきの丸孔２ｈに質量調整用の調整部材３ａを、内周側の１つおきの丸孔２ｉにばね定数調整用の調整部材３ｂを、それぞれ締め代を持たせて挿入したものである。
【００２２】
図８は、第５の実施形態を示す。このダイナミックダンパは、図８（ａ）に示すように、前記軸部材１１に外嵌されて装着された筒状の弾性体の本体１に、軸方向へ貫通する複数の断面形状が異なる異形孔２ｊを設け、図８（ｂ）に示すように、これらの異形孔２ｊの一部に、異型筒状の質量調整用の調整部材３ｃとばね定数調整用の調整部材３ｄを締め代を持たせて挿入したものである。
【００２３】
上述した各実施形態では、質量調整用の調整部材を鋼で形成し、ばね定数調整用の調整部材を樹脂で形成したが、質量調整用の調整部材は他の金属や比重の大きい材料で形成することもでき、ばね定数調整用の調整部材はゴム等で形成することもできる。
【図面の簡単な説明】
【００２４】
【図１】ａは第１の実施形態のダイナミックダンパの本体を軸部材に装着した状態を示す縦断正面図、ｂはａの横断側面図、ｃはｂの丸孔に調整部材を挿入した状態を示す横断側面図
【図２】ａ、ｂは、それぞれ図１（ｃ）の変形例を示す横断側面図
【図３】ａは第２の実施形態のダイナミックダンパの本体を軸部材に装着した状態を示す縦断正面図、ｂはａの横断側面図、ｃはｂの丸孔に調整部材を挿入した状態を示す横断側面図
【図４】ａ、ｂは、それぞれ図３（ｃ）の変形例を示す横断側面図
【図５】ａは第３の実施形態のダイナミックダンパの本体を軸部材に装着した状態を示す縦断正面図、ｂはａの横断側面図、ｃはｂの丸孔に調整部材を挿入した状態を示す横断側面図
【図６】ａ、ｂは、それぞれ図５（ｃ）の変形例を示す横断側面図
【図７】ａは第４の実施形態のダイナミックダンパの本体を軸部材に装着した状態を示す縦断正面図、ｂはａの横断側面図、ｃはｂの丸孔に調整部材を挿入した状態を示す横断側面図
【図８】ａは第５の実施形態のダイナミックダンパの本体を軸部材に装着した状態を示す横断側面図、ｂはａの異形孔に調整部材を挿入した状態を示す横断側面図
【符号の説明】
【００２５】
１  本体
２ａ、２ｂ、２ｃ、２ｄ、２ｅ、２ｆ、２ｇ、２ｈ、２ｉ  丸孔
２ｊ  異形孔
３ａ、３ｂ、３ｃ、３ｄ  調整部材
４ａ、４ｂ  芯金
１１  軸部材
【図１】
2007232171.tif 000003
【図２】
2007232171.tif 000004
【図３】
2007232171.tif 000005
【図４】
2007232171.tif 000006
【図５】
2007232171.tif 000007
【図６】
2007232171.tif 000008
【図７】
2007232171.tif 000009
【図８】
2007232171.tif 000010